(57)【要約】【課題】  可動子の移動に伴う吸引力の低下を抑制することができるソレノイド及び電磁弁を提供する。【解決手段】  リニアソレノイド１０は、磁性材からなる筒状の第１〜第３ヨーク１１〜１３と、磁性材からなるプランジャ１９と、プランジャ１９の先端部１９ａ及び先端部１９ａの軸方向における位置で一部が重合される第１ヨーク１１の先端部１１ａ間でプランジャ１９を軸方向一側に移動させる吸引力を発生させる励磁コイル１５とを備える。プランジャ１９の先端部１９ａ及び第１ヨーク１１の先端部１１ａの軸方向での重合量は、プランジャ１９の軸方向一側への移動に伴い大きくなる。プランジャ１９の先端部１９ａの外周面には、周溝１９ｃが設けられている。【選択図】      図１
2007012844.tif 000002
【特許請求の範囲】
【請求項１】
磁性材からなる筒状の収容部材と、該収容部材に往復移動自在に収容された磁性材からなる可動子と、前記可動子の先端部及び該先端部の軸方向における位置で一部が重合される前記収容部材の対向部間で前記可動子を前記収容部材の軸方向一側に移動させる吸引力を発生させる励磁コイルとを備え、前記可動子の軸方向一側への移動に伴い、前記可動子の前記先端部及び前記収容部材の前記対向部の軸方向での重合量が大きくなるソレノイドにおいて、
前記可動子の前記先端部の外周面及び前記収容部材の前記対向部の内周面のいずれか一方に、非磁性部を設けたことを特徴とするソレノイド。
【請求項２】
請求項１に記載のソレノイドにおいて、
前記非磁性部は、前記可動子の前記先端部の外周面及び前記収容部材の前記対向部の内周面のいずれか一方の周方向に沿って切り欠かれた周溝であることを特徴とするソレノイド。
【請求項３】
請求項１に記載のソレノイドにおいて、
前記非磁性部は、前記可動子の前記先端部の外周面及び前記収容部材の前記対向部の内周面のいずれか一方の周方向に沿って所定角度ごとに凹設された複数の凹部であることを特徴とするソレノイド。
【請求項４】
磁性材からなる円柱状の可動子と、該可動子を内側に往復移動自在に収容する、磁性材からなる筒状の第１ヨークと、該第１ヨークに対し軸方向に積み重なり、前記可動子を内側に往復移動自在に収容する、磁性材からなる筒状の第２ヨークと、前記第１ヨーク及び前記第２ヨークに対して磁界を発生させる励磁コイルとを備え、前記可動子を収容する面の側で前記第１ヨーク及び前記第２ヨークの間は磁気的に分離されて配置されており、前記励磁コイルが励磁されていない状態で、前記可動子は前記第１ヨークよりも前記第２ヨークとより多く重合する状態及び前記第２ヨークのみに重合する状態のいずれか一方の状態とし、前記励磁コイルが励磁された状態で、前記第１ヨーク及び前記第２ヨークを流れる磁束が前記可動子を通して流れ前記可動子が前記第１ヨークに吸引され稼働されることにより前記可動子の前記第１ヨーク側の先端部と前記第１ヨークの前記可動子側の先端部との重合量が増加するソレノイドにおいて、
前記可動子の前記第１ヨーク側の先端部の外周面及び前記第１ヨークの前記可動子側の先端部の内周面のいずれか一方に、非磁性部を設けたことを特徴とするソレノイド。
【請求項５】
請求項１〜４のいずれか一項に記載のソレノイドを備えた電磁弁。
【請求項６】
請求項２に記載のソレノイドにおいて、
前記周溝は、前記可動子の前記先端部の外周面に設けられたものであり、基端部側に軸方向に対し直交する面を有することを特徴とするソレノイド。
【発明の詳細な説明】
【技術分野】
【０００１】
本発明は、ソレノイド及び電磁弁に関するものである。
【背景技術】
【０００２】
従来、空気圧や油圧を調整する電磁弁などに利用されるソレノイドとして種々のものが提案されている（例えば特許文献１、２など）。図１１は、こうした電磁弁に適用される従来のソレノイド９０を示す断面図である。図１１（ａ）に示されるように、ソレノイド９０は、略円筒状の第１ヨーク９１と、第１ヨーク９１の内径と同等の内径を有してこれに同軸上に配置された略有底円筒状の第２ヨーク９２と、第２ヨーク９２の外周面に固着された第３ヨーク９３とを備えている。これら第１〜第３ヨーク９１〜９３は、磁性材で形成されている。
【０００３】
第１及び第２ヨーク９１，９２が軸方向で対向する先端面間には、これらの内径と同等の内径を有する非磁性金属からなるスペーサ９４が同軸上に介在されている。
また、上記第２ヨーク９２と第３ヨーク９３との間には、第３ヨーク９３の外周側に巻回される態様でコイル９５が配置されている。一方、前記第１及び第２ヨーク９１，９２内には、これらの内径と同等の外径を有する略円柱状の可動子としてのプランジャ９６が軸方向に移動可能に収容されている。このプランジャ９６は、磁性材で形成されている。上記プランジャ９６は、図示しない付勢手段により軸方向一側（図１１の右側、即ち前記第２ヨーク９２の底壁部に当接する側）に付勢されている。そして、上記プランジャ９６は、径方向において、その先端部９６ａが前記第１ヨーク９１の先端部９１ａの一部に対向するように（換言すれば、両先端部９１ａ，９６ａの軸方向での位置が重合するように）配置されている。
【０００４】
このような構造にあって、コイル９５に通電されると、磁束の流れによる磁気力により、前記両先端部９１ａ，９６ａ間に形成される吸引部において、推力（以下、「吸引力」という）が発生する。この吸引力により、上記プランジャ９６は、付勢手段の付勢力に抗して軸方向他側（図１１の左側）に移動する。また、コイル９５への通電が停止されると、上記吸引力が消滅することで、プランジャ９６は、付勢手段に付勢されて軸方向一側（図１１の右側）に移動（復帰）する。
【特許文献１】特開２００１−６８３３５号公報
【特許文献２】特開２００１−２５１８３４号公報
【発明の開示】
【発明が解決しようとする課題】
【０００５】
ところで、こうしたソレノイド９０の性能は、プランジャ９６の可動範囲と吸引力とにより決定される。これら可動範囲及び吸引力は、例えば可動範囲を長くする場合には吸引力が低下し、吸引力を大きくする場合には可動範囲が短くなるという相容れない関係にある。これは、ソレノイド９０の吸引力は、全可動範囲の中間地点での低下が大きくなることによる。従って、例えば電磁弁の油圧調整時におけるソレノイド９０の使用範囲が、上述した吸引力低下の大きい範囲を含んでいる場合には、電磁弁としての性能低下の原因となりうる。
【０００６】
例えば、図１１（ｂ）に示されるように、前記第２ヨーク９２の底壁部に当接している状態において、プランジャ９６が軸方向他側（図１１の左側）に移動し始めるときの軸方向移動位置（以下、「ストローク」という）では、前記両先端部９１ａ，９６ａの軸方向での重合量が小さいため、コイル９５への通電により形成されるプランジャ９６の吸引部Ａ１１では、前記第１ヨーク９１に対し軸方向に対し鋭角をなす（即ち軸方向成分の大きな）磁気力が発生することでこれに対応して吸引力が大きくなる。
【０００７】
一方、図１１（ｃ）に示されるように、プランジャ９６の軸方向他側（図１１の左側）への移動が進んだときのストロークでは、前記両先端部９１ａ，９６ａの軸方向での重合量が大きくなるため、コイル９５への通電により形成されるプランジャ９６の吸引部Ａ１２では、前記第１ヨーク９１に対し軸方向成分よりも径方向成分の支配的な磁気力が発生することでこれに対応して吸引力が小さくなる。
【０００８】
図１２は、プランジャ９６の全可動範囲におけるストロークと吸引力との関係を実験的に求めたグラフである。同図から明らかなように、プランジャ９６が全可動範囲の中間地点に向かって移動しそのストロークが増加する状態では、上述した磁気力の軸方向成分から径方向成分への変化に対応して、吸引力が低下している。ここでは、電磁弁の油圧調整時におけるソレノイド９０の使用範囲が、上述した吸引力低下の大きい範囲のストロークを含んでいることで、電磁弁の性能低下が推測される。
【０００９】
本発明の目的は、可動子の移動に伴う吸引力の低下を抑制することができるソレノイド及び電磁弁を提供することにある。
【課題を解決するための手段】
【００１０】
上記問題点を解決するために、請求項１に記載の発明は、磁性材からなる筒状の収容部材と、該収容部材に往復移動自在に収容された磁性材からなる可動子と、前記可動子の先端部及び該先端部の軸方向における位置で一部が重合される前記収容部材の対向部間で前記可動子を前記収容部材の軸方向一側に移動させる吸引力を発生させる励磁コイルとを備え、前記可動子の軸方向一側への移動に伴い、前記可動子の前記先端部及び前記収容部材の前記対向部の軸方向での重合量が大きくなるソレノイドにおいて、前記可動子の前記先端部の外周面及び前記収容部材の前記対向部の内周面のいずれか一方に、非磁性部を設けたことを要旨とする。
【００１１】
請求項２に記載の発明は、請求項１に記載のソレノイドにおいて、前記非磁性部は、前記可動子の前記先端部の外周面及び前記収容部材の前記対向部の内周面のいずれか一方の周方向に沿って切り欠かれた周溝であることを要旨とする。
【００１２】
請求項３に記載の発明は、請求項１に記載のソレノイドにおいて、前記非磁性部は、前記可動子の前記先端部の外周面及び前記収容部材の前記対向部の内周面のいずれか一方の周方向に沿って所定角度ごとに凹設された複数の凹部であることを要旨とする。
【００１３】
請求項４に記載の発明は、磁性材からなる円柱状の可動子と、該可動子を内側に往復移動自在に収容する、磁性材からなる筒状の第１ヨークと、該第１ヨークに対し軸方向に積み重なり、前記可動子を内側に往復移動自在に収容する、磁性材からなる筒状の第２ヨークと、前記第１ヨーク及び前記第２ヨークに対して磁界を発生させる励磁コイルとを備え、前記可動子を収容する面の側で前記第１ヨーク及び前記第２ヨークの間は磁気的に分離されて配置されており、前記励磁コイルが励磁されていない状態で、前記可動子は前記第１ヨークよりも前記第２ヨークとより多く重合する状態及び前記第２ヨークのみに重合する状態のいずれか一方の状態とし、前記励磁コイルが励磁された状態で、前記第１ヨーク及び前記第２ヨークを流れる磁束が前記可動子を通して流れ前記可動子が前記第１ヨークに吸引され稼働されることにより前記可動子の前記第１ヨーク側の先端部と前記第１ヨークの前記可動子側の先端部との重合量が増加するソレノイドにおいて、前記可動子の前記第１ヨーク側の先端部の外周面及び前記第１ヨークの前記可動子側の先端部の内周面のいずれか一方に、非磁性部を設けたことを要旨とする。
【００１４】
請求項５に記載の発明は、請求項１〜４のいずれか一項に記載のソレノイドを備えた電磁弁であることを要旨とする。
請求項６に記載の発明は、請求項２に記載のソレノイドにおいて、前記周溝は、前記可動子の前記先端部の外周面に設けられたものであり、基端部側に軸方向に対し直交する面を有することを要旨とする。
【００１５】
（作用）
請求項１又は３に記載の発明によれば、前記可動子の前記先端部の外周面及び前記収容部材の前記対向部の内周面のいずれか一方に、非磁性部が設けられる。従って、前記可動子の軸方向一側への移動に伴い、前記可動子の前記先端部及び前記収容部材の前記対向部の軸方向での重合量が大きくなったとしても、前記励磁コイルへの通電により形成される可動子の吸引部では、前記非磁性部により磁気力の径方向成分が低減され、これに対応して吸引力の低下も抑制される。
【００１６】
請求項２に記載の発明によれば、前記非磁性部は、前記可動子の前記先端部の外周面及び前記収容部材の前記対向部の内周面のいずれか一方を、周方向に沿って切り欠くのみの極めて簡易な方法で成形し得る周溝とされる。
【００１７】
請求項４に記載の発明によれば、前記可動子の前記第１ヨーク側の先端部の外周面及び前記第１ヨークの前記可動子側の先端部の内周面のいずれか一方に、非磁性部が設けられる。従って、前記励磁コイルが励磁された状態で、前記第１ヨーク及び前記第２ヨークを流れる磁束が前記可動子を通して流れ前記可動子が前記第１ヨークに吸引され稼働されることにより前記可動子の前記第１ヨーク側の先端部と前記第１ヨークの前記可動子側の先端部との重合量が増加したとしても、前記励磁コイルの励磁により形成される可動子の吸引部では、前記非磁性部により磁気力の径方向成分が低減され、これに対応して吸引力の低下も抑制される。
【００１８】
請求項５に記載の発明によれば、性能低下の抑制された電磁弁が提供される。
請求項６に記載の発明によれば、軸方向に向かう磁束がより強くなる。
【発明の効果】
【００１９】
請求項１乃至６に記載の発明では、可動子の移動に伴う吸引力の低下を抑制することができるソレノイド及び電磁弁を提供することができる。
【発明を実施するための最良の形態】
【００２０】
以下、本発明を具体化した一実施形態を図面に従って説明する。
図２は、本実施形態の電磁弁１を示す断面図である。同図に示されるように、この電磁弁１は、ソレノイドとしてのリニアソレノイド１０と、バルブ機構を構成するスリーブ２０及びスプールバルブ３０とを備えている。
【００２１】
リニアソレノイド１０は、略円筒状の第１ヨーク１１と、軸方向一側（図２の左側であって、第１ヨーク１１側）に開口する略有底円筒状の第２ヨーク１２と、第２ヨーク１２の外周面に固着された第３ヨーク１３とを備えている。収容部材としての第１〜第３ヨーク１１〜１３は、磁性材で形成されている。
【００２２】
上記第１ヨーク１１の対向部としての軸方向他側（図２の右側）の先端部１１ａには、その外周部が先端に向かって徐々に縮径されるようにテーパ１１ｂが形成されている。つまり、この第１ヨーク１１は、テーパ１１ｂによりその先端部１１ａが先鋭に成形されている。また、上記第１ヨーク１１の軸方向一側（図２の左側）には、径方向外側に突出するフランジ部１１ｃが形成されている。このフランジ部１１ｃは、前記スリーブ２０との接合に供される。
【００２３】
上記第２ヨーク１２は、第１ヨーク１１の内径と同等の内径を有してこれに同軸上に配置されている。そして、第１及び第２ヨーク１１，１２が軸方向で対向する先端面間には、これらの内径と同等の内径を有する非磁性金属（例えばアルミニウムなど）からなるスペーサ１４が同軸上に介在されている。このスペーサ１４は、前記第２ヨーク１２の外径よりも小さい外径を有して円環状に形成されている。つまり、軸方向に積み重なる第１及び第２ヨーク１１，１２の間は、その内周側（可動子を収容する面の側）で上記スペーサ１４により磁気的に分離されている。なお、上記第２ヨーク１２の底壁部には、内部空間側に湾曲する当接部１２ａが形成されている。
【００２４】
前記第３ヨーク１３は、前記第２ヨーク１２の外径と同等の内径を有する底壁部１３ａと、同第２ヨーク１２の外径よりも大きい内径であって前記フランジ部１１ｃの外径と同等の内径を有して底壁部１３ａの軸方向一側（図２の左側）に同軸上に突設された周壁部１３ｂとを有している。この第３ヨーク１３は、底壁部１３ａにおいて第２ヨーク１２の軸方向他側（図２の右側）に、周壁部１３ｂの先端部において第１ヨーク１１のフランジ部１１ｃに、それぞれ圧入にて固定されている。これらの固定部は、例えばレーザ溶接にて接合されていてもよい。
【００２５】
そして、上記第１及び第２ヨーク１１，１２、スペーサ１４の外周面と、第３ヨーク１３（底壁部１３ａ、周壁部１３ｂ）の内壁面との間で形成される空間Ｓには、これら第１〜第３ヨーク１１〜１３に対して磁界を発生させる励磁コイル１５が収容されている。この励磁コイル１５は、第２ヨーク１２等の外周側に樹脂材からなる円筒状のボビン１６を介して巻回・配置されている。励磁コイル１５の巻回されたボビン１６は、前記第１〜第３ヨーク１１〜１３等と同軸上に配置されている。
【００２６】
なお、前記第３ヨーク１３の外部にはターミナル１７を備えたコネクタ１８が設けられている。このターミナル１７は、前記励磁コイル１５の端部と電気的に接続されている。
また、前記第１及び第２ヨーク１１，１２、前記スペーサ１４の形成する内部空間には、これらの内径と同等の外径を有する略円柱状の可動子としてのプランジャ１９が軸方向（図示左右方向）に移動可能に収容されている。このプランジャ１９は、磁性材で形成されている。そして、前記プランジャ１９の軸方向一側（図２の左側）の先端部１９ａは、その先端面から軸方向に円錐台状に凹設されて、先端に向かって徐々に拡径されるテーパ１９ｂを形成している。つまり、このプランジャ１９は、テーパ１９ｂによりその先端部１９ａが先鋭に成形されている。なお、前記プランジャ１９が収容される上述した内部空間と、前記励磁コイル１５等が収容される空間Ｓとは、液密的に区画されている。
【００２７】
上記プランジャ１９は、後述するスプリング（２１）により軸方向他側（図２の右側）に付勢されている。このとき、前記プランジャ１９は前記第１ヨーク１１よりも前記第２ヨーク１２とより多く重合する状態となっている。あるいは、前記プランジャ１９は前記第２ヨーク１２のみに重合する状態となっていてもよい。そして、上記プランジャ１９は、径方向において、その先端部１９ａの一部が前記スペーサ１４とともに第１ヨーク１１の先端部１１ａに対向するように（換言すれば、両先端部１１ａ，１９ａの軸方向での位置が一部で重合するように）配置されている。これら先端部１１ａ，１９ａの軸方向での重合量は、プランジャ１９の軸方向一側（図２の左側）への移動に伴い大きくなる（増加する）。
【００２８】
ここで、前記励磁コイル１５の非通電状態（励磁されていない状態）では、上記プランジャ１９は、スプリング２１により軸方向他側（図２の右側）に付勢されることで、前記第２ヨーク１２の当接部１２ａに当接している。この状態で、前記ターミナル１７への電圧の印加により、励磁コイル１５に通電がなされ励磁コイル１５が励磁された状態になると、同励磁コイル１５の周囲に磁束の流れが形成される。この磁束は、第２ヨーク１２、プランジャ１９、第１ヨーク１１及び第３ヨーク１３（又はその逆順）を通って１周するように流れる。そして、この磁束の流れによる磁気力により、前記両先端部１１ａ，１９ａ間に形成される吸引部において、前記プランジャ１９を前記第１ヨーク１１等の軸方向一側（図２の左側）に移動させる吸引力が発生する。上記プランジャ１９は、この吸引力が発生されることで、スプリング２１の付勢力に抗して同側に移動（稼働）する。また、この状態で、励磁コイル１５への通電が停止されると、上記プランジャ１９は、上記した吸引力の消滅により、スプリング２１に付勢されて、前記第２ヨーク１２の当接部１２ａに規制されるまで軸方向他側（図２の右側）に移動（復帰）する。
【００２９】
前記スリーブ２０は、前記フランジ部１１ｃの外径よりも小さい外径及び第１ヨーク１１等の内径と同等の内径を有して略円筒状に形成されており、複数のポート２０ａ，２０ｂ，２０ｃ，２０ｄを有している。このスリーブ２０の軸方向他側（図２の右側）の端部は、前記第１ヨーク１１（フランジ部１１ｃ）の対向面に、例えばレーザ溶接にて接合されており、軸方向一側（図２の左側）の端部には、バルブストッパ２２が圧入にて固定されている。
【００３０】
そして、上記スリーブ２０には、前記スプールバルブ３０が前記プランジャ１９と同軸の軸方向に移動可能に収容されている。このスプールバルブ３０は、前記バルブストッパ２２との間に介在されるスプリング２１により軸方向他側（図２の右側、即ち前記プランジャ１９側）に付勢されている。これにより、上記スプールバルブ３０は、その軸方向他側（図２の右側）の端部３０ａが前記第１ヨーク１１の内部まで延びて前記プランジャ１９の対向面に当接されている。つまり、前記プランジャ１９は、上記スプリング２１によりスプールバルブ３０を介して前記第２ヨーク１２の当接部１２ａに当接する側に付勢されている。
【００３１】
上記スプールバルブ３０には、溝３０ｂが形成されている。スプールバルブ３０は、スリーブ２０内での軸方向への移動に伴い、この溝３０ｂを介したポート２０ａ〜２０ｄの連通を選択的に切り替えることで、これらのポートに接続される図示しない油圧回路の流路を切り替える。
【００３２】
なお、上記スプールバルブ３０は、前記励磁コイル１５への通電に伴い、前記第１ヨーク１１の先端部１１ａ及び前記プランジャ１９の先端部１９ａ間に発生する吸引力により、前記プランジャ１９がスプリング２１の付勢力に抗して軸方向一側（図２の左側）に移動することで、これに押圧されて一体で同側に移動する。また、上記スプールバルブ３０は、前記励磁コイル１５への通電停止に伴う上記吸引力の消滅により、スプリング２１に付勢されて前記プランジャ１９を押圧しつつこれと一体で軸方向他側（図２の右側）に移動（復帰）する。このスプールバルブ３０の軸方向他側への移動は、前記第２ヨーク１２の当接部１２ａにプランジャ１９の対向面が当接されることで規制される。
【００３３】
ここで、前記プランジャ１９の軸方向における位置と、前記励磁コイル１５への通電に伴い前記両先端部１１ａ，１９ａ間に形成される吸引部での吸引力との関係について図１に基づき説明する。なお、図１（ａ）は、図２の主にリニアソレノイド１０を示す断面図であり、図１（ｂ）（ｃ）はその拡大図である。同図に示されるように、前記プランジャ１９の先端部１９ａ外周面には、周方向に沿って切り欠かれた非磁性部としての周溝１９ｃが形成されている。この周溝１９ｃは、三角形状に切り欠かれている。この周溝１９ｃは、基端側が外周面に対し直交する直角三角形状に切り欠かれている。よって、周溝１９ｃでは、基端部側に軸方向に対し直交する面を有するようになっている。そして、前記プランジャ１９の先端部１９ａは、周溝１９ｃにより更に先鋭に成形されている。
【００３４】
前記第２ヨーク１２の当接部１２ａにプランジャ１９の対向面が当接している状態では、図１（ｂ）に示されるように、前記周溝１９ｃは、径方向において前記スペーサ１４の軸方向一側（図１（ｂ）の左側、即ち第１ヨーク１１の先端部１１ａ側）の先端部と対向するように配置されている。また、上記先端部１９ａの周溝１９ｃよりも先端側は、径方向において、前記第１ヨーク１１の先端部１１ａに対向するように配置されている。従って、この状態からプランジャ１９が軸方向一側（図１の左側）に移動し始めるときのストロークでは、前記励磁コイル１５への通電により形成されるプランジャ１９の吸引部Ａ１では、前記第１ヨーク１１に対して軸方向に対し鋭角をなす（即ち軸方向成分の大きな）磁気力が発生することでこれに対応して吸引力が大きくなる。
【００３５】
一方、図１（ｃ）に示されるように、プランジャ１９の軸方向一側（図１の左側）への移動が進んだときのストロークでは、前記両先端部１１ａ，１９ａの軸方向での重合量が大きくなるものの、前記周溝１９ｃにより同先端部１９ａの先端部１１ａとの軸方向での重合部分に磁気ギャップが設けられ、図１（ｃ）に示した範囲Ｓ１で磁気飽和が促進されて、前記励磁コイル１５への通電により形成されるプランジャ１９の吸引部Ａ２では、前記第１ヨーク１１に対し径方向成分が低減され、軸方向に対し鋭角をなす磁気力が発生することでこれに対応して吸引力の低下が抑制される。
【００３６】
図３は、プランジャ１９の全可動範囲におけるストロークと吸引力との関係を実験的に求めたグラフである。なお、同図では、プランジャ１９の先端部１９ａに周溝１９ｃを有する本実施形態での場合を実線にて、周溝を有しない従来形態での場合を破線にて、それぞれ示している。同図から明らかなように、本実施形態では、プランジャ１９が全可動範囲の中間地点に向かって移動しそのストロークが増加する状態において、従来形態に比べて吸引力の低下が抑制されている。ここでは、電磁弁１の油圧調整時におけるリニアソレノイド１０の使用範囲が、上述した吸引力低下の抑制された範囲のストロークを含んでいることで、電磁弁の性能低下も抑制される。
【００３７】
以上詳述したように、本実施形態によれば、以下に示す効果が得られるようになる。
（１）本実施形態では、前記プランジャ１９の前記先端部１９ａの外周面に、周溝１９ｃ（非磁性部）が設けられる。従って、前記プランジャ１９の軸方向一側への移動に伴い、前記プランジャ１９の前記先端部１９ａ及び前記第１ヨーク１１の前記先端部１１ａの軸方向での重合量が大きくなったとしても、前記励磁コイル１５への通電により形成されるプランジャ１９の吸引部（Ａ２）では、前記周溝１９ｃにより磁気力の径方向成分を低減することができ、これに対応して吸引力の低下も抑制することができる。
【００３８】
（２）本実施形態では、前記周溝１９ｃは、前記プランジャ１９の前記先端部１９ａの外周面を、周方向に沿って切り欠くのみの極めて簡易な方法で成形することができる。
（３）本実施形態では、性能低下の抑制された電磁弁を提供することができる。
【００３９】
（４）本実施形態では、周溝１９ｃが、基端部側に軸方向に対し直交する面を有することで、軸方向に向かう磁束をより強くすることができる。
なお、上記実施形態は以下のように変更してもよい。
【００４０】
・図４に示されるように、前記周溝１９ｃに代えて、例えば略半円の曲成形状に切り欠かれた周溝４１であってもよい。また、図５に示されるように、四角形状に切り欠かれた周溝４２であってもよい。あるいは、図６に示されるように、鋭角三角形状に切り欠かれた周溝４３であってもよい。
【００４１】
・図７に示されるように、前記周溝１９ｃに代えて、前記第１ヨーク１１の先端部１１ａの内周面の周方向に沿って切り欠かれた周溝４４であってもよい。また、この周溝４４は、前記実施形態に準じて直角三角形状に切り欠かれたものであってもよいし、例えば略半円の曲成形状、四角形状、鋭角三角形状に切り欠かれたものであってもよい。
【００４２】
・図８に示されるように、非磁性部として、前記プランジャ１９の前記先端部１９ａの外周面の周方向に沿って所定角度ごとに凹設された複数の凹部４５であってもよい。こうした凹部の形状は任意であり、例えば各凹部が複数の凹部で１組をなすものであってもよい。このように変更しても、１組をなす凹部が所定角度ごとに配置される限り、本発明を何ら逸脱するものではない。また、この凹部４５に代えて、前記第１ヨーク１１の前記先端部１１ａの内周面の周方向に沿って所定角度ごとに凹設された複数の凹部であってもよい。
【００４３】
・例えば、特開２０００−２１６２８号公報に記載されるように、前記プランジャ１９の先端部１９ａの外周面（又は前記第１ヨーク１１の先端部１１ａの内周面）にオーステナイト生成元素を供給しながら高エネルギー密度ビームを照射して、非磁性部を形成してもよい。
【００４４】
・図９に示されるように、前記プランジャ１９を２つの部材４６，４７からなる構造とし、これら両部材４６，４７にて前記周溝１９ｃを形成してもよい。すなわち、一方の部材４６に、周溝１９ｃの外周面に直交する端面を形成する円筒部４６ａを設け、周溝１９ｃの傾斜面を形成する他方の部材４７に円筒部４６ａに嵌着される円柱部４７ａを形成する。この場合、前記プランジャ１９を２つの部材４６，４７で成形する分、非磁性部の形状等の自由度を増大することができる。なお、これら両部材４６，４７の接合・一体化にあたっては、接着、圧入、溶接、ろう付けといった適宜の手法を採用しうる。
【００４５】
・例えば、図１０に示されるように、非磁性部として、前記プランジャ１９の先端部１９ａの外周面の内側に埋没するように円環状に形成された環状凹部４８であっても、一方の部材４６の円筒部４６ａの先端面に環状溝４８ａを、他方の部材４７の対向面に環状溝４８ｂを、それぞれ形成してこれら部材４６，４７を接合・一体化することで容易に成形することができる。
【００４６】
・前記実施形態において、非磁性部としての各種周溝や凹部に、樹脂などの非磁性材を塗布したり充填したりしてもよい。
・前記実施形態において、前記スペーサ１４は、樹脂製であってもよい。また、第１及び第２ヨーク１１，１２間の姿勢を安定保持しうるのであれば、前記スペーサ１４を割愛してもよい。
【００４７】
・前記実施形態において、第１〜第３ヨーク１１〜１３の形状は一例である。
・前記実施形態において、プランジャ１９の形状は一例である。例えば、先端部１９ａのテーパ１９ｂを割愛して、平坦な円柱形状としてもよい。
【００４８】
次に、上記実施形態及び別例から把握できる技術的思想について以下に追記する。
・請求項２に記載のソレノイドにおいて、
前記周溝は、三角形、四角形及び曲成形のいずれか１つの形状に切り欠かれていることを特徴とするソレノイド。
【００４９】
・請求項１に記載のソレノイドにおいて、
前記非磁性部は、前記可動子の前記先端部の外周面及び前記収容部材の前記対向部の内周面のいずれか一方に、オーステナイト生成元素を供給しながら高エネルギー密度ビームを照射することで形成されてなることを特徴とするソレノイド。
【図面の簡単な説明】
【００５０】
【図１】（ａ）（ｂ）（ｃ）は、本発明の一実施形態を示す断面図。
【図２】同実施形態を示す断面図。
【図３】ストロークと吸引力との関係を示すグラフ。
【図４】本発明の変形形態を示す断面図。
【図５】本発明の変形形態を示す断面図。
【図６】本発明の変形形態を示す断面図。
【図７】本発明の変形形態を示す断面図。
【図８】本発明の変形形態を示す斜視図。
【図９】本発明の変形形態を示す断面図。
【図１０】本発明の変形形態を示す断面図。
【図１１】（ａ）（ｂ）（ｃ）は、従来形態を示す断面図。
【図１２】ストロークと吸引力との関係を示すグラフ。
【符号の説明】
【００５１】
１…電磁弁、１０…ソレノイドとしてのリニアソレノイド、１１…収容部材を構成する第１ヨーク、１１ａ…対向部としての先端部、１２…収容部材を構成する第２ヨーク、１３…収容部材を構成する第３ヨーク、１４…スペーサ、１５…励磁コイル、１９…可動子としてのプランジャ、１９ａ…先端部、１９ｃ，４１〜４４…非磁性部としての周溝、２０…スリーブ、３０…スプールバルブ、４５…非磁性部としての凹部、４８…非磁性部としての環状凹部。
【図１】
2007012844.tif 000003
【図２】
2007012844.tif 000004
【図３】
2007012844.tif 000005
【図４】
2007012844.tif 000006
【図５】
2007012844.tif 000007
【図６】
2007012844.tif 000008
【図７】
2007012844.tif 000009
【図８】
2007012844.tif 000010
【図９】
2007012844.tif 000011
【図１０】
2007012844.tif 000012
【図１１】
2007012844.tif 000013
【図１２】
2007012844.tif 000014